(57)【要約】【課題】  映像・音声再生システムにおいて、ユーザー設定の簡略化、映像音声装置の最大パフォーマンスの供給を提供することが出来る。【解決手段】  映像音声装置間で設定可能な機能情報の交換を行い、一の映像音声装置の機能情報のうち接続先である他の映像音声装置に設定可能な機能情報を取得する情報交換取得ステップ（１−Ａ）と、取得した機能情報を一の映像音声装置内で記憶するための情報記憶ステップ（１−Ｂ）と、記憶された機能情報と一の映像音声装置の機能情報とを比較する情報比較ステップ（１−Ｄ）とを含み、情報比較ステップの結果に基づいて他の映像音声装置に設定不可能な設定を選択できなくする、もしくは、一の映像音声装置の設定可能対象から省き選択不可能にする。これにより、現在の接続で設定できるもののみをユーザーが選択することができるため、ユーザーの機能選択の簡略化を図ることができる。【選択図】  図１
2005210186.tif 000002
【特許請求の範囲】
【請求項１】
複数の映像音声装置を接続する際、接続されている映像音声装置間の設定可能な機能情報を自動的に認識する自動認識方法であって、前記映像音声装置間で設定可能な機能情報の交換を行い、一の映像音声装置の機能情報のうち接続先である他の映像音声装置に設定可能な機能情報を取得する情報交換取得ステップと、取得した機能情報を一の映像音声装置内で記憶するための情報記憶ステップと、記憶された機能情報と一の映像音声装置の機能情報とを比較する情報比較ステップとを含み、前記情報比較ステップの結果に基づいて他の映像音声装置に設定不可能な設定を選択できなくする、もしくは、一の映像音声装置の設定可能対象から省き選択不可能にすることを特徴とする自動認識方法。
【請求項２】
前記情報比較ステップの比較結果により設定できない機能が選択されたときに一の映像音声装置に映像出力、もしくは、音声出力として通知することができる映像音声通知ステップと、選択できなかった機能情報と設定できなかった要因である設定不可能な履歴内容を記憶する履歴情報記憶ステップとを含む請求項１記載の自動認識方法。
【請求項３】
接続されている映像音声装置間の設定情報の変化を監視する情報変化監視ステップと、変化した設定情報と履歴情報とを比較する履歴情報比較ステップとを含み、前記履歴情報比較ステップの結果により設定可能になっている設定情報があるとき、前記映像音声通知ステップにて通知する請求項２記載の自動認識方法。
【請求項４】
前記情報変化監視ステップにより設定可能、もしくは、不可能になっている設定情報を自動的に一の映像音声装置に設定し、前記履歴情報記憶ステップにおいて記憶した履歴情報を更新する自動設定更新ステップを含む請求項３記載の自動認識方法。
【請求項５】
一の映像音声装置の接続経路を検出する接続経路検出ステップと、接続経路確認要求により、前記接続経路毎の設定できる、もしくは、設定できていない設定情報を映像出力、もしくは、音声出力として通知する接続経路確認要求ステップとを含む請求項４記載の自動認識方法。
【請求項６】
一の映像音声装置の設定不可能になっている履歴情報と前記接続経路毎の設定可能な機能情報とを比較し、設定不可能になっている機能情報が接続経路の変更により設定可能になる接続方法を映像出力、もしくは、音声出力として通知する履歴情報確認ステップとを含む請求項５記載の自動認識方法。
【発明の詳細な説明】
【技術分野】
【０００１】
この発明は、映像音声装置間の設定可能な機能情報を自動的に認識する自動認識方法に関するものである。
【背景技術】
【０００２】
従来は、複数接続されている映像音声装置の設定を行う場合、特許文献１にあるように各々の映像音声装置に、リモコン入力部とリモコン出力部の両方を備え、入力されたリモコン信号をリモコン出力部にて別機器に送信することにより、接続先の機器の制御を行っていた。
【０００３】
しかしながら、上記方法では、リモコンを受信した機器で別接続機器の制御を行うことはできるが、制御をした結果、その機器が設定したとおりに動作しているかの判断は、ユーザーが確認するしかないという問題があり、また、設定をすべきかどうかの判断もユーザーにゆだねられるという問題があった。
【特許文献１】実開平３−９２８８７号公報
【発明の開示】
【発明が解決しようとする課題】
【０００４】
映像音声装置の接続を行う場合、通常、接続を行うユーザーが各映像音声装置の設定可能な機能を認識した上で接続を行うか、設定をした上で動作しているか確認をする必要があった。その中で、近年の映像音声装置の機能増大、接続方法の複雑化により、各映像音声装置の機能をすべて認識することは、困難になってきている。さらに、映像音声装置接続間で設定できない機能を設定した際、映像出力されない、もしくは、音声出力されないといって事例が発生している。
【０００５】
このような状況下において、自動認識方法は、今ある映像音声装置で、ユーザーがどのような設定ができ、どのような設定ができないかといった対応が要求されている。
【０００６】
しかしながら、上記の従来構成では、映像音声装置接続にて設定可能な機能情報を認識するステップが無いため、ユーザーの映像音声装置の認識任せになっていた。
【０００７】
また、映像音声装置の買い替えにより従来の設定より高いパフォーマンスを出すことのできる設定があるにもかかわらず、ユーザーがそれらの機能を知らない場合は、その機能を利用していなかった。
【０００８】
したがって、この発明の目的は、上記課題に鑑みてなされたものであり、映像・音声再生システムにおいて、別々の機能を有したデータの出力側装置と入力側装置の接続で構成されている場合に、入力側装置の機能に合わせた出力側装置の設定を行わなければ、正常に動作しないという問題を解消することで、ユーザー設定の簡略化、映像音声装置の最大パフォーマンスの供給を提供することが出来る自動認識方法を提供することである。
【課題を解決するための手段】
【０００９】
上記課題を解決するために、この発明の請求項１記載の自動認識方法は、複数の映像音声装置を接続する際、接続されている映像音声装置間の設定可能な機能情報を自動的に認識する自動認識方法であって、前記映像音声装置間で設定可能な機能情報の交換を行い、前記映像音声装置間で設定可能な機能情報の交換を行い、一の映像音声装置の機能情報のうち接続先である他の映像音声装置に設定可能な機能情報を取得する情報交換取得ステップと、取得した機能情報を一の映像音声装置内で記憶するための情報記憶ステップと、記憶された機能情報と一の映像音声装置の機能情報とを比較する情報比較ステップとを含み、前記情報比較ステップの結果に基づいて他の映像音声装置に設定不可能な設定を選択できなくする、もしくは、一の映像音声装置の設定可能対象から省き選択不可能にする。
【００１０】
請求項２記載の自動認識方法は、請求項１記載の自動認識方法において、前記情報比較ステップの比較結果により設定できない機能が選択されたときに一の映像音声装置に映像出力、もしくは、音声出力として通知することができる映像音声通知ステップと、選択できなかった機能情報と設定できなかった要因である設定不可能な履歴内容を記憶する履歴情報記憶ステップとを含む。
【００１１】
請求項３記載の自動認識方法は、請求項２記載の自動認識方法において、接続されている映像音声装置間の設定情報の変化を監視する情報変化監視ステップと、変化した設定情報と履歴情報とを比較する履歴情報比較ステップとを含み、前記履歴情報比較ステップの結果により設定可能になっている設定情報があるとき、前記映像音声通知ステップにて通知する。
【００１２】
請求項４記載の自動認識方法は、請求項３記載の自動認識方法において、前記情報変化監視ステップにより設定可能、もしくは、不可能になっている設定情報を自動的に一の映像音声装置に設定し、前記履歴情報記憶ステップにおいて記憶した履歴情報を更新する自動設定更新ステップを含む。
【００１３】
請求項５記載の自動認識方法は、請求項４記載の自動認識方法において、一の映像音声装置の接続経路を検出する接続経路検出ステップと、接続経路確認要求により、前記接続経路毎の設定できる、もしくは、設定できていない設定情報を映像出力、もしくは、音声出力として通知する接続経路確認要求ステップとを含む。
【００１４】
請求項６記載の自動認識方法は、請求項５記載の自動認識方法において、一の映像音声装置の設定不可能になっている履歴情報と前記接続経路毎の設定可能な機能情報とを比較し、設定不可能になっている機能情報が接続経路の変更により設定可能になる接続方法を映像出力、もしくは、音声出力として通知する履歴情報確認ステップとを含む。
【発明の効果】
【００１５】
この発明の請求項１記載の自動認識方法によれば、映像音声装置間で設定可能な機能情報の交換を行い、一の映像音声装置の機能情報のうち接続先である他の映像音声装置に設定可能な機能情報を取得する情報交換取得ステップと、取得した機能情報を一の映像音声装置内で記憶するための情報記憶ステップと、記憶された機能情報と一の映像音声装置の機能情報とを比較する情報比較ステップとを含み、情報比較ステップの結果に基づいて他の映像音声装置に設定不可能な設定を選択できなくする、もしくは、一の映像音声装置の設定可能対象から省き選択不可能にするので、映像音声装置間で設定可能な機能情報を自動認識し、各映像音声装置で機能を有効にする際、接続先の映像音声装置の設定可能な機能情報を元にユーザーに設定できる設定のみを有効することで、ユーザーによる誤動作を防止することができる。また、このようにユーザーによる映像音声装置の機能設定がある場合、現在の接続で設定できるもののみをユーザーが選択することができるため、ユーザーの機能選択の簡略化を図ることができる。また、ユーザーによる各映像音声装置の機能を覚えて有効・無効といったことを考えなくても、簡単に現在の接続で設定できる機能の選別が可能になるという効果も得られる。
【００１６】
請求項２では、情報比較ステップの比較結果により設定できない機能が選択されたときに一の映像音声装置に映像出力、もしくは、音声出力として通知することができる映像音声通知ステップと、選択できなかった機能情報と設定できなかった要因である設定不可能な履歴内容を記憶する履歴情報記憶ステップとを含むので、ユーザー選択により映像音声装置の機能を有効にする際、現在の映像音声装置では設定不可能な設定、すなわちユーザーにより接続先の映像音声装置で設定できない設定が選択された場合、映像音声通知ステップにてユーザーに通知すると共に、設定できなかった設定情報と設定不可要因を履歴として記憶することができる。
【００１７】
請求項３では、接続されている映像音声装置間の設定情報の変化を監視する情報変化監視ステップと、変化した設定情報と履歴情報とを比較する履歴情報比較ステップとを含み、履歴情報比較ステップの結果により設定可能になっている設定情報があるとき、映像音声通知ステップにて通知するので、新規に取得した設定情報と取得済みの設定情報に変化があった場合、変化した設定情報と履歴情報の比較により設定可能になっている設定情報があれば、映像出力、もしくは、音声出力でユーザーに通知することができる。
【００１８】
例えば、接続先の映像音声装置で設定できない設定を有効にしようとした際、ユーザーに通知するとともに、設定できなかった設定内容を自動的に覚え、接続先の映像音声装置を入れ替えた際に、過去設定したが、できなかった設定で今回設定できる内容について、ユーザーに通知し、接続機器での最大パフォーマンスを提供することができる。
【００１９】
請求項４では、情報変化監視ステップにより設定可能、もしくは、不可能になっている設定情報を自動的に一の映像音声装置に設定し、履歴情報記憶ステップにおいて記憶した履歴情報を更新する自動設定更新ステップを含むので、他の映像音声装置の設定情報の変化により、履歴情報と比較し設定可能、もしくは、現在設定中の設定が設定不可能になっている情報があれば、一の映像音声装置の設定を自動的に設定し、履歴情報より設定した履歴内容の削除を行い、もしくは、設定不可能になっている設定情報があれば、一の映像音声装置の設定を自動的に未設定にすることができる。
【００２０】
請求項５では、一の映像音声装置の接続経路を検出する接続経路検出ステップと、接続経路確認要求により、接続経路毎の設定できる、もしくは、設定できていない設定情報を映像出力、もしくは、音声出力として通知する接続経路確認要求ステップとを含むので、接続経路確認要求により映像音声装置接続経路上の設定できている設定情報と設定できなかった設定情報を映像出力、もしくは、音声出力としてユーザーに通知することができる。
【００２１】
請求項６では、一の映像音声装置の設定不可能になっている履歴情報と接続経路毎の設定可能な機能情報とを比較し、設定不可能になっている機能情報が接続経路の変更により設定可能になる接続方法を映像出力、もしくは、音声出力として通知する履歴情報確認ステップとを含むので、設定できる映像音声装置がある場合、接続経路をユーザーに映像出力、もしくは、音声出力で通知することができる。このように、一台の映像音声装置に複数の映像音声装置を接続した際、接続方法、もしくは、接続形態の変更を行うことにより設定が可能になる接続方法をユーザーに通知することができ、ユーザーに対し、最大パフォーマンスを提供することができる。
【発明を実施するための最良の形態】
【００２２】
この発明の第１の実施の形態を図１に基づいて説明する。図１は本発明の第１の実施形態における自動認識方法のフローチャートである。
【００２３】
図１に示すように、映像音声装置間で設定可能な機能情報の交換を行い、一の映像音声装置の機能情報のうち接続先である他の映像音声装置に設定可能な機能情報を取得する情報交換取得ステップ（１−Ａ）と、取得した機能情報を一の映像音声装置内で記憶するための情報記憶ステップ（１−Ｂ）と、記憶された機能情報と一の映像音声装置の機能情報とを比較する情報比較ステップ（１−Ｄ）と、比較した内容を記憶する比較記憶ステップとを含み、情報比較ステップの結果に基づいて他の映像音声装置に設定不可能な設定を選択できなくする。
【００２４】
この場合、ステップ１−Ａは自身の映像音声装置（一の映像音声装置）と接続されているすべての他映像音声装置間で設定可能な機能情報の機能情報交換（機能交換ステップ）を実施し、接続経路先の映像音声装置の設定可能な機能情報の取得を行い、ステップ１−Ｂにて取得した接続先の他映像音声装置の設定可能な機能情報は、自映像音声装置内に記憶（情報記憶ステップ）を実施する。その結果、ステップ１−Ｃで、ユーザーによる自映像音声装置の機能選択が行われようとした場合、設定された設定情報を自映像音声装置の設定を有効にする前に、ステップ１−Ｄにて選択された機能情報とステップ１−Ｂにて記憶を行っている接続先映像音声装置の設定可能な機能情報との比較を行い、その結果、設定可能である場合のみ自映像音声装置にユーザーに選択された設定情報の設定を行う。ステップ１−Ｄによる結果として、設定不可能であると判別された場合は、ユーザーによる設定の切り替えさせないものである。
【００２５】
この発明の第２の実施の形態を図２に基づいて説明する。図２は本発明の第２の実施形態における自動認識方法のフローチャートである。
【００２６】
本実施形態では、第１の実施形態において情報比較ステップ（２−Ａ）の結果に基づいて他の映像音声装置に設定不可能な設定を、一の映像音声装置の設定可能対象から省き選択不可能にする。
【００２７】
図２において、第１の実施形態との異なる部分についての説明を行う。ステップ１−Ａおよびステップ１−Ｂにより入手し記憶した設定可能な機能情報は、ステップ２−Ａとステップ２−Ｂにて入手後すぐに、自映像音声装置のすべての設定可能な機能情報とを比較し、設定不可能な機能情報については、ユーザー選択対象から削除し、選択欄より省く、もしくは、切り替え選択をさせないようにする。その結果、ステップ２−Ｃで、ユーザーによる自映像音声装置の機能選択が行われようとした場合、ステップ２−Ａとステップ２−Ｂにて比較を実施している設定可能な結果のみをユーザーに公開する為、他映像音声装置で設定できない設定はできなくなる。
【００２８】
この発明の第３の実施の形態を図３に基づいて説明する。図３は本発明の第３の実施形態における自動認識方法のフローチャートである。
【００２９】
本実施形態では、第１，２の実施形態において情報比較ステップの比較結果により設定できない機能が選択されたときに一の映像音声装置に映像出力、もしくは、音声出力として設定できないことを通知することができる映像音声通知ステップ（３−Ｅ）と、選択できなかった機能情報と設定できなかった要因である設定不可能な履歴内容を記憶する履歴情報記憶ステップ（３−Ｄ）とを含む。
【００３０】
図３において、第１，２の実施形態との異なる部分についての説明を行う。ステップ１−Ａおよびステップ１−Ｂにより入手し記憶した設定可能な機能情報は、ステップ３−Ａで、ユーザーによる自映像音声装置の設定が選択された際、自映像音声装置内の設定不可能になっている情報（履歴情報記憶ステップ）の確認を行い、過去選択されたが設定できなかった情報かどうか確認を行う（ステップ３−Ｂ）。その結果、設定できなかった情報であった場合、ステップ３−Ｅの映像音声出力にてユーザーに通知を行い、設定できないことを通知する。結果として、過去一度も設定されていなかった内容であれば、ステップ３−Ｃにて自映像音声装置のすべての設定可能な機能情報とを比較し、設定可能な設定であると判断できた時点で、自映像音声装置内の設定を有効にする。設定不可能であると判断して時点で、設定不可能な機能情報については、ステップ３−Ｄで選択されたが設定できなかった機能情報と設定できなかった要因について記憶（履歴情報記憶ステップ）してから、ステップ３−Ｅにてユーザーに通知する。
【００３１】
この発明の第４の実施の形態を図４に基づいて説明する。図４は本発明の第４の実施形態における自動認識方法のフローチャートである。
【００３２】
本実施形態では、第１〜３の実施形態において接続されている映像音声装置間の設定情報の変化を監視する情報変化監視ステップ（４−Ａ）と、変化した設定情報と履歴情報とを比較する履歴情報比較ステップ（４−Ｂ）とを含み、履歴情報比較ステップの結果により設定可能になっている設定情報があるとき、映像音声通知ステップ（４−Ｄ）にて通知する。
【００３３】
図４において、ステップ１−Ａで、取得した設定可能な機能情報である。ステップ４−Ａで過去に取得した接続先の映像音声装置の設定可能な機能情報と今回新たに入手した接続先の映像音声装置の設定可能な機能情報の比較を行い、その結果、過去に取得した設定情報と新たに取得した設定情報に違いがある場合、ステップ４−Ｂで自映像音声装置内の履歴情報記憶と変化した設定可能な機能情報と比較を行い、その結果、履歴情報記憶にある機能情報が変化していた場合、ステップ４−Ｃにて履歴情報記憶内容より設定可能になっている機能情報履歴の削除を行い、ステップ４−Ｄの映像出力、もしくは、音声出力にてユーザーに設定可能になっていることを通知する。
【００３４】
この発明の第５の実施の形態を図５に基づいて説明する。図５は本発明の第５の実施形態における自動認識方法のフローチャートである。
【００３５】
本実施形態では、第１〜４の実施形態において情報変化監視ステップにより設定可能、もしくは、不可能になっている設定情報を自動的に一の映像音声装置に設定し、履歴情報記憶ステップにおいて記憶した履歴情報を更新する自動設定更新ステップ（５−Ｂ〜Ｇ）を含む。
【００３６】
図５において、第４の実施形態との異なる部分について説明を行う。ステップ１−Ａとステップ５−Ａにて新たに取得した情報が変化していた場合、ステップ５−Ｂで自映像音声装置内の履歴情報記憶と今回新たに設定可能な機能情報の比較を行い、その結果、履歴情報記憶にある情報が変化していた場合は、ステップ５−Ｄで履歴情報記憶より設定可能になった機能情報履歴の削除を行い、ステップ５−Ｅで自動的に自映像音声装置の設定を有効にする。ステップ５−Ｂの比較結果として、履歴情報記憶にない情報であった場合、ステップ５−Ｃで現在、自映像音声装置で有効、もしくは、選択されている機能情報であるかの比較を行う。その結果、現在、自映像音声装置で有効になっている設定であった場合、ステップ５−Ｆにてその設定を自映像音声装置の設定から無効にし、ステップ５−Ｇにて設定不可能情報を記憶する。
【００３７】
この発明の第６の実施の形態を図６に基づいて説明する。図６は本発明の第６の実施形態における自動認識方法のフローチャートである。
【００３８】
本実施形態では、第１〜５の実施形態において一の映像音声装置の接続経路を検出する接続経路検出ステップと、接続経路確認要求により、接続経路毎の設定できる、もしくは、設定できていない設定情報を映像出力、もしくは、音声出力として通知する接続経路確認要求ステップ（６−Ａ〜Ｃ）とを含む。
【００３９】
図６において、ステップ６−Ａはユーザーによる経路確認ステップでありユーザーによる自映像音声装置の接続経路確認要求があった場合、ステップ６−Ｂにて接続経路毎の自映像音声装置内に記憶されている設定情報・設定不可能情報を読み出し、ステップ６−Ｃにてユーザーに映像出力、もしくは、音声出力として通知する。
【００４０】
この発明の第７の実施の形態を図７に基づいて説明する。図７は本発明の第７の実施形態における自動認識方法のフローチャートである。
【００４１】
本実施形態では、第１〜６の実施形態において一の映像音声装置の設定不可能になっている履歴情報と接続経路毎の設定可能な機能情報とを比較し、設定不可能になっている機能情報が接続経路の変更により設定可能になる接続方法を映像出力、もしくは、音声出力として通知する履歴情報確認ステップ（７−Ａ〜Ｊ）とを含む。
【００４２】
図７において、ステップ７−Ａは自映像音声装置に接続されている映像音声装置の設定可能な機能情報を接続経路毎の自映像音声装置内に記憶されている設定情報・設定不可能情報を読み出しステップであり、ステップ７−Ｂにて接続経路毎に確認対象になっている接続経路中の設定不可能情報と別接続経路の設定可能な機能情報とを比較する。ステップ７−Ｃにて確認対象の設定不可能な設定情報と映像音声装置内の他接続経路の映像音声装置の設定可能な設定情報と比較を行う。結果、比較対象の接続経路では設定不可能になっている設定であっても別経路にて設定可能な映像音声装置がある場合、ステップ７−Ｄにて設定可能になる履歴情報と設定可能な接続経路の記憶を行い、ステップ７−Ｅにてその接続経路の比較設定の使用状況の有無も同時に記憶する。ステップ７−Ｆにて比較対照接続経路のすべての履歴情報について確認を実施し、すべての接続経路について比較していない場合は、ステップ７−Ｇにて比較対照の変更を行い、すべての接続経路について比較を行っている場合は、ステップ７−Ｈにて別接続経路上の映像音声装置の履歴情報について比較を実施する。ステップ７−Ｈにてすべての接続経路で確認を終えていない場合は、ステップ７−Ｉにて比較対照の接続経路を変更し、ステップ７−Ｈにてすべてについて比較を終えた時点で、ステップ７−Ｊにてユーザーに現在の設定状態と接続経路を変更すれば設定可能になる設定情報について通知をする。
【００４３】
また、図８は本発明の上記各実施形態のステップ構成の簡略図、図９は本発明の実施形態の映像音声装置の接続例（接続数３）を示す簡略図である。
【００４４】
図８において、１０は情報交換取得ステップ、１１は情報記憶ステップ、１２は情報比較ステップ、１３は映像音声通知ステップ、１４は履歴情報記憶ステップ、１５は情報変化監視ステップ１６は履歴情報比較ステップ、１７は自動設定更新ステップ、１８は接続経路検出ステップ、１９は履歴情報確認ステップである。
【００４５】
また、図９では、一の映像音声装置２１に他の映像音声装置２２，２３が接続された場合を示す。
【産業上の利用可能性】
【００４６】
本発明に係る自動認識方法は、ユーザーによる映像音声装置の機能設定がある場合、現在の接続で設定できるもののみをユーザーが選択することができるため、ユーザーの機能選択の簡略化を図ることができる等の効果を有し、映像音声装置間の設定可能な機能情報を自動的に認識する映像音声装置接続等として有用である。
【図面の簡単な説明】
【００４７】
【図１】本発明の第１の実施形態に係る自動認識方法のフロー図である。
【図２】本発明の第２の実施形態に係る自動認識方法のフロー図である。
【図３】本発明の第３の実施形態に係る自動認識方法のフロー図である。
【図４】本発明の第４の実施形態に係る自動認識方法のフロー図である。
【図５】本発明の第５の実施形態に係る自動認識方法のフロー図である。
【図６】本発明の第６の実施形態に係る自動認識方法のフロー図である。
【図７】本発明の第７の実施形態に係る自動認識方法のフロー図である。
【図８】本発明の実施形態のステップ構成簡略図である。
【図９】本発明の実施形態の映像音声装置の接続例を示す簡略図である
【符号の説明】
【００４８】
１−Ａ  情報交換取得ステップ
１−Ｂ  情報記憶ステップ
１−Ｄ  情報比較ステップ
２−Ａ  情報比較ステップ
３−Ｅ  映像音声通知ステップ
３−Ｄ  履歴情報記憶ステップ
４−Ａ  情報変化監視ステップ
４−Ｂ  履歴情報比較ステップ
４−Ｄ  映像音声通知ステップ
５−Ｂ〜Ｇ  自動設定更新ステップ
６−Ａ〜Ｃ  接続経路確認要求ステップ
７−Ａ〜Ｊ  履歴情報確認ステップ
【図１】
2005210186.tif 000003
【図２】
2005210186.tif 000004
【図３】
2005210186.tif 000005
【図４】
2005210186.tif 000006
【図５】
2005210186.tif 000007
【図６】
2005210186.tif 000008
【図７】
2005210186.tif 000009
【図８】
2005210186.tif 000010
【図９】
2005210186.tif 000011